(57)【要約】【課題】２床式ポンプ機場において、水力スラストを原動機が持つ場合でも、水力スラスト荷重が原動機床に集中することなく、ポンプ床及び原動機床で分散して支持し、振動に対して強く、機器荷重も２つの床に等分布させることができる立軸ポンプ設備を提供する。【解決手段】吸込水槽１上方に原動機床８及びポンプ床２を具備する２床式ポンプ機場に立軸ポンプを設置した立軸ポンプ設備において、立軸ポンプを搭載するポンプ架台５と原動機６を搭載する原動機架台７を連結部材９及び揚水管４を介して一体的に構成し、ポンプ架台５をポンプ床２に、原動機架台７を原動機床８にそれぞれバネ１０、１１を介在させて設置し、該立軸ポンプ３の荷重を原動機床８とポンプ床２で分散して支持する。【選択図】図３
2005061316.tif 000002
【特許請求の範囲】
【請求項１】
水槽上方に原動機床及びポンプ床を具備する２床式ポンプ機場に立軸ポンプを設置した立軸ポンプ設備において、
前記立軸ポンプのポンプ架台と原動機の原動機架台を一体的に構成し、ポンプ架台をポンプ床に、原動機架台を原動機床にそれぞれ設置し、該立軸ポンプの荷重を前記原動機床と前記ポンプ床で分散して支持することを特徴とする立軸ポンプ設備。
【請求項２】
請求項１に記載の立軸ポンプ設備において、
前記ポンプ架台と前記ポンプ床の間及び前記原動機架台と前記原動機床の間にそれぞれ弾性体を介在させたことを特徴とする立軸ポンプ設備。
【請求項３】
請求項２に記載の立軸ポンプ設備において、
前記各弾性体の弾性度を変えることにより各床に加わる荷重を任意に設定できることを特徴とする立軸ポンプ設備。
【請求項４】
請求項１に記載の立軸ポンプ設備において、
前記立軸ポンプのベルマウス及び／又は揚水管に支持部材を設け、該支持部材を介して該ベルマウス及び／又は揚水管を前記水槽壁で分散して支持することを特徴とする立軸ポンプ設備。
【請求項５】
請求項４に記載の立軸ポンプ設備において、
前記ベルマウス及び／又は揚水管と前記水槽壁の間に弾性体を介在させたことを特徴とする立軸ポンプ設備。
【発明の詳細な説明】
【技術分野】
【０００１】
本発明は立軸ポンプ設備に関し、特に立軸ポンプの機器荷重を複数の床に分散支持させ、振動に対して強い立軸ポンプ設備に関するものである。
【背景技術】
【０００２】
従来、この種の立軸ポンプを備えるポンプ機場には、水槽の上方にポンプ床のみを有する１床式ポンプ機場と、水槽の上方にポンプ床と原動機床を有する２床式ポンプ機場がある。１床式ポンプ機場は、図１に示すように水槽１０１の上方にポンプ床１０２が設けられ、ポンプ１０３及び揚水管１０４等の機器荷重がポンプ架台１０５を介してポンプ床１０２に支持される。また、モータ及び減速機等の原動機１０６の荷重も原動機架台１０７を介してポンプ床１０２に支持される。
【０００３】
また、２床式ポンプ機場は、図２に示すように水槽１０１の上方にポンプ床１０２及び原動機床１０８が設けられ、ポンプ１０３及び揚水管１０４等の機器荷重はポンプ架台１０５を介してポンプ床１０２に支持され、モータ及び減速機等の原動機１０６の荷重は原動機架台１０９を介して原動機床１０８に支持される。
【０００４】
上記１床式ポンプ機場では、ポンプ床１０２にポンプ１０３及び揚水管１０４等の機器荷重とモータ及び減速機等の原動機１０６の荷重が集中してかかるため、ポンプ床１０２を強固なものとする必要がある。また、ポンプ１０３及び揚水管１０４が長い場合、１箇所で荷重を支持するため振動に対して不利となるという問題あった。
【０００５】
また、上記２床式ポンプ機場では、ポンプ１０３の荷重は垂直の揚水管１０４で支持しているので揚水管１０４が長い場合に振動し易いという問題がある。また、水力スラストを原動機１０６で持つ場合、原動機床１０８に大きなスラスト荷重が作用するという問題もある。
【発明の開示】
【発明が解決しようとする課題】
【０００６】
本発明は上述の点に鑑みてなされたもので、２床式ポンプ機場において、水力スラストを原動機が持つ場合でも、水力スラスト荷重が原動機床に集中することなく、ポンプ床及び原動機床で分散して支持し、振動に対して強く、機器荷重も２つの床に等分布させることができる立軸ポンプ設備を提供することを目的とする。
【課題を解決するための手段】
【０００７】
上記課題を解決するため請求項１に記載の発明は、水槽上方に原動機床及びポンプ床を具備する２床式ポンプ機場に立軸ポンプを設置した立軸ポンプ設備において、立軸ポンプのポンプ架台と原動機の原動機架台を一体的に構成し、ポンプ架台をポンプ床に、原動機架台を原動機床にそれぞれ設置し、該立軸ポンプの荷重を原動機床と前記ポンプ床で分散して支持することを特徴とする。
【０００８】
請求項２に記載の発明は、請求項１に記載の立軸ポンプ設備において、ポンプ架台とポンプ床の間及び原動機架台と原動機床の間にそれぞれ弾性体を介在させたことを特徴とする。
【０００９】
請求項３に記載の発明は、請求項２に記載の立軸ポンプ設備において、各弾性体の弾性度を変えることにより各床に加わる荷重を任意に設定できることを特徴とする。
【００１０】
請求項４に記載の発明は、請求項１に記載の立軸ポンプ設備において、立軸ポンプのベルマウス及び／又は揚水管に支持部材を設け、該支持部材を介して該ベルマウス及び／又は揚水管を前記水槽壁で分散して支持することを特徴とする。
【００１１】
請求項５に記載の発明は、請求項４に記載の立軸ポンプ設備において、ベルマウス及び／又は揚水管と水槽壁の間に弾性体を介在させたことを特徴とする。
【発明の効果】
【００１２】
請求項１に記載の発明によれば、立軸ポンプのポンプ架台と原動機の原動機架台を一体的に構成し、該立軸ポンプの荷重を原動機床とポンプ床で分散して支持するので、水力スラストを原動機が持つ場合、水力スラストが原動機床とポンプ床に作用することになり、荷重が分散される。また、機器荷重を２箇所で支持するため、振動に対しても強くなる。
【００１３】
請求項２及び３に記載の発明によれば、ポンプ架台とポンプ床の間及び原動機架台と原動機床の間にそれぞれ弾性体を介在させ、各弾性体の弾性度を変えることにより、機器の荷重を２つの床面に等分布することができる。
【００１４】
請求項４に記載の発明によれば、ベルマウス及び／又は揚水管に支持部材を設け、水槽壁で支持することにより、更に立軸ポンプの荷重を分散支持することができる。
【００１５】
請求項５に記載の発明によれば、ベルマウス及び／又は揚水管と水槽壁の間に弾性体を介在させることにより、機器の荷重を更に分散し等分布させることができる。
【発明を実施するための最良の形態】
【００１６】
以下、本発明の実施の形態例を図面に基づいて説明する。図３は本発明に係る立軸ポンプ設備の構成を示す図である。図３において、１は吸込水槽であり、該吸込水槽の上方にポンプ床２と原動機床８が設けられている。５はポンプ３及び揚水管４等を搭載するポンプ架台であり、７はモータや減速機等からなるポンプ３を駆動する原動機６が搭載される原動機架台である。原動機架台７は連結部材９で揚水管４の曲がり部に一体的に結合されている。即ち、原動機架台７とポンプ架台５は連結部材９及び揚水管４を介して一体的に構成されている。ポンプ架台５はバネ１０を介在させてポンプ床２に支持され、原動機架台７はバネ１１を介在させて原動機床８に支持されている。
【００１７】
上記のようにポンプ架台５と原動機架台７を連結部材９及び揚水管４を介して一体的に構成し、それぞれポンプ床２及び原動機床８で支持することにより、機器荷重はポンプ床２及び原動機床８に分散支持されることになる。また、ポンプを回転させることにより受ける水力スラスト（ポンプ３を下降させようとする力）を原動機６が持つ場合、該水力スラストもポンプ床２及び原動機床８に分散する。また、原動機床８と原動機架台７の間に介在するバネ１１の弾性度（バネの硬さ）と、ポンプ床２とポンプ架台５の間に介在するバネ１０の弾性度（バネの硬さ）を調整することにより、機器荷重を原動機床８と、ポンプ床２に等分布させることができる。
【００１８】
また、ベルマウス１２と吸込水槽１の底床１ａとの間にバネ１３を介在させて、支持することにより、機器荷重がポンプ床２、原動機床８、吸込水槽１の底床１ａの３点で支持されることになり、更に荷重を分散支持することが可能となる。また、この場合もバネ１０、１１、１３の弾性度（バネの硬さ）を調整することにより機器荷重の等分布が可能となる。また、各バネの弾性度を任意に調整することにより、各床の受ける荷重も任意に調整することが可能となる。また、図示は省略するが、揚水管４にも支持部材を設け、該支持部材と吸込水槽１の壁面（吸込水槽１の底床面も含む）の間にバネを介在させて支持すれば、更に荷重を分散させることができる。
【００１９】
なお、上記実施例では、原動機架台７と原動機床８の間、ポンプ架台５とポンプ床２の間にそれぞれバネ１１、バネ１０を介在させて支持する構成としたが、これらのバネを省略し、原動機架台７及びポンプ架台５をそれぞれ原動機床８及びポンプ床２で直接支持するようにしてもよい。またバネ１１及びバネ１０に換えてゴム材等の弾性体を用いてもよい。また、ベルマウス１２も支持部材を介して吸込水槽１の底床１ａに支持させてもよく、更にバネ１３に換えてゴム材等の弾性体を用いてもよい。
【００２０】
また、上記のようにポンプ架台５と原動機架台７を連結部材９及び揚水管４を介して一体的に構成し、それぞれポンプ床２及び原動機床８、更にはベルマウス１２を吸込水槽１の底床１ａで支持することにより、複数点の支持となり振動に対しても強い構造となる。
【００２１】
以上本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００２２】
【図１】従来の１床式ポンプ機場の立軸ポンプ設備の構成を示す図である。
【図２】従来の２床式ポンプ機場の立軸ポンプ設備の構成を示す図である。
【図３】本発明に係る立軸ポンプ設備の構成を示す図である。
【符号の説明】
【００２３】
１      吸込水槽
２      ポンプ床
３      ポンプ
４      揚水管
５      ポンプ架台
６      原動機
７      原動機架台
８      原動機床
９      連結部材
１０    バネ
１１    バネ
１２    ベルマウス
１３    バネ
【図１】
2005061316.tif 000003
【図２】
2005061316.tif 000004
【図３】
2005061316.tif 000005